(57)【要約】      （修正有）【課題】  押し花の密封作業が容易で、必要な大きさや形状に切断し易く、平面的な形状のみならず立体的な形状にもし易い、耐湿性に優れた押し花装飾体及びそれを用いた写真額の提供を目的とする。【解決手段】  表側シート部材２１と押し花２２と裏側シート部材２３とを備え、表側シート部材２１は、透明体であり、表側シート部材２１と裏側シート部材２３とで押し花２３を挟持してあるとともに透湿性の有する部分に常温硬化性ガラス膜１１を形成してある。【選択図】  図１
2007160534.tif 000002
【特許請求の範囲】
【請求項１】
表側シート部材と押し花と裏側シート部材とを備え、
表側シート部材は、透明体であり、
表側シート部材と裏側シート部材とで押し花を挟持してあるとともに透湿性の有する部分に常温硬化性ガラス膜を形成してあることを特徴とする押し花装飾体。
【請求項２】
裏側シート部材は透光性を有し、
押し花と裏側シート部材との間に押し花を配置する台紙を有し、
台紙は、裏側シート部材の背面に配置する掲示物を臨ませる掲示物用開口部を有していることを特徴とする請求項１記載の押し花装飾体。
【請求項３】
押し花は、アルコール溶解性の染料又はインクに、植物体を浸漬し、その後乾燥して製作したものであることを特徴とする請求項１又は２記載の装飾体。
【請求項４】
請求項１〜３のいずれかに記載の装飾体を用いて写真等の掲示物を装飾したものであることを特徴とする押し花付写真額。
【発明の詳細な説明】
【技術分野】
【０００１】
本発明は、押し花を用いた装飾体及び写真等の周囲をこの装飾体を用いて装飾した写真額に関する。
【背景技術】
【０００２】
本発明者は、押し花を装飾材として用いた写真等の掲示物を飾る押し花装飾額を、先に提案している。（特願２００５−２９５９６２号）
本発明は、先の出願における耐湿性を更に改善したものである。
【０００３】
【特許文献１】特願２００５−２９５９６２号
【発明の開示】
【発明が解決しようとする課題】
【０００４】
本発明は、押し花の密封作業が容易で、必要な大きさや形状に切断し易く、平面的な形状のみならず立体的な形状にもし易い、耐湿性に優れた押し花装飾体及びそれを用いた写真額の提供を目的とする。
【課題を解決するための手段】
【０００５】
請求項１記載の押し花装飾体は、表側シート部材と押し花と裏側シート部材とを備え、表側シート部材は、透明体であり、表側シート部材と裏側シート部材とで押し花を挟持してあるとともに透湿性の有する部分に常温硬化性ガラス膜を形成してあることを特徴とする。
ここで、表側シート部材は、押し花を見る側をいい、押し花が見える程度に透明性を有していればよく、ガラスパネル、樹脂パネル、樹脂フィルム等材質も問わない。
裏側シート部材は、表側シート部材とで押し花を挟み込むものであり、表側シート部材がガラスパネルや厚みのある樹脂パネル等比較的剛性を有するものであれば押し花の凹凸に追随できるだけの可撓性があるのが望ましい。
表側シート部材と裏側シート部材とで押し花を挟み込む場合に、ガラスパネル、約２ｍｍ以上の厚みのある樹脂パネル、アルミ箔などであれば長期的にも透湿あるいはガス透過することは無く押し花が吸湿あるいは酸化変色する恐れはないが、厚みの薄い樹脂パネルや樹脂フィルムは透湿性及び酸素透過性を有し、押し花を長期的に保存するのが難しい。
そこで表側シート部材あるいは裏側シート部材の全部、又は少なくともそれらの一部に透湿性のある材料を用いた場合にはその部分に常温硬化性ガラス膜を形成することで耐湿性及びガスバリアー性を改善した点に本発明の特徴がある。
ここで常温硬化性ガラス膜とは、有機金属化合物と加水分解触媒と希釈剤との混合組成物の液体を塗布あるいは、この液体に浸漬することで被膜処理し、その後の乾燥過程で金属酸化物ガラス性の被膜を形成するものをいう。
そのガラス被膜形成方法の１つに特許第２５３８５２７号がある。
【０００６】
請求項２記載の発明は、裏側シート部材は透光性を有し、押し花と裏側シート部材との間に押し花を配置する台紙を有し、台紙は、裏側シート部材の背面に配置する掲示物を臨ませる掲示物用開口部を有していることを特徴とする。
この発明は裏側シート部材の背面に写真等の掲示物を配置するための押し花装飾体としたものである。
押し花を配置する台紙は色紙、クッションシート、不織シートなどであってよい。
この場合に台紙と裏側シート部材との間に乾燥剤を配設してもよい。
【０００７】
請求項３記載の発明は、押し花は、アルコール溶解性の染料又はインクに、植物体を浸漬し、その後乾燥して製作したものであることを特徴とする。
押し花は植物体の花や葉等を押圧乾燥したものが一般的である。
本願においても、常法にて製作されている、上記押し花を用いることができる。
これに対して請求項３に記載の発明は、インク又は染料等をアルコール溶液に溶解し、その中に植物の花や葉を浸漬すると植物体中の腐食性物質が溶出し、この植物体中に染料等が染み込み各種色調に着色されることを見い出したことに基づき、このような製作方法を用いると軽く加熱するだけで、アルコールが蒸発し、植物体が乾燥し、植物体の脈等の構造を破壊することなく耐湿性及び保存安定性に優れた押し花となる。
特に、従来の押圧による押し花の製作方法は花弁等に圧力をかけるために脈等の組織が破壊されたり花弁が縮むのを防止するために吸水紙を用いたりする必要があったために多くの労力を有し、しかも、その後の乾燥等を維持するためには乾燥剤や脱酸素剤が必要であったが、請求項３記載の発明においてはこれらが不要になる。
【０００８】
請求項４記載の発明は、請求項１〜３のいずれかに記載の押し花装飾体を用いて写真等の掲示物を装飾したものである。
ここで写真は掲示物の代表例であって画絵や肖像画でもよい。
【発明の効果】
【０００９】
本発明に係る押し花装飾体にあっては、表側シート部材と裏側シート部材で押し花を挟み込んだ後に透湿性あるいは透ガス性のある部分を常温硬化性ガラス膜で覆ったので、押し花の乾燥状態を長期にわたって維持でき、ガスバリアー性とともなって変色を防止できる。
また、常温硬化性ガラス膜なので加熱による変形、変色もなく、可撓性のある表側シート部材と裏側シート部材とで押し花を挟み込んだ場合には立体的に形状を変形したものであっても、その状態でガラス膜を形成することもできる。
押し花を不透明な台紙に配置した場合には掲示物用開口部を設けることで透光性のある裏側シート部材の背面に写真等を配置してもその開口部から写真が見え、この写真の周囲を装飾体で飾ることができるので額に組み込み押し花付写真額とすることができる。
これにより長期保存が可能な押し花装飾体を用いたセレモニー用の写真額を得ることができる。
特に表側シート部材と裏側シート部材にフィルム材を用いると常温硬化性のガラス膜の形成後であっても容易にはさみ等で切断ができるので使用する額枠のサイズに合せることも容易になる。
押し花の製作方法を請求項３記載の発明のようにすると、押し花そのもの耐湿性が良くなり、より長期保存が可能であり、植物体の構造が破壊されていない立体的な押し花を得ることもできる。
【発明を実施するための最良の形態】
【００１０】
図１に本発明に係る押し花装飾体（以下単に装飾体と称する）の例を示し、図１（ａ）に構成例の斜視図、図１（ｂ）に常温硬化性ガラス膜を形成して装飾体にする例を示す。
表側シート部材２１の裏面側に配置する押し花２２を挟んだ状態で、裏側シート部材２３を密着する。
ここでの表側シート部材２１は長期的防湿性に優れている例であり、材質としてはガラス、または２ｍｍ程度の厚みを有する樹脂板等を例として挙げることができる。
ここでの裏側シート部材２３は、表側シート部材２１と同等の大きさであり、必ずも防湿性を有していなくて良い例であり、樹脂フィルム、クッションシート、不織物、原板紙、色紙、梨地フィルム等材質を問わない。
また、積層した裏側シート部材２３を用いるのも良い。
裏側シート部材２３に透明樹脂フィルムを用いれば、透明な装飾体１０ａにすることができる。
裏側シート部材２３に梨地フィルムを用いれば、押し花２２の周囲の反射光を押さえた装飾体にすることができる。
図示しないが表側シート部材２１と、裏側シート部材２３とを密着する手段としては、外周部を接着剤等で接着した表側シート部材２１と、裏側シート部材２３との外周部をアルミテープ等でシールし、中間部を吸引して減圧密着し、押し花２２を密封する例を挙げることができる。
【００１１】
図１（ｂ）に常温硬化性ガラス膜形成用の溶液を塗布する手段例の斜視図を示すように、裏側シート部材２３側である裏面全体に塗布し、乾燥硬化すると金属酸化物系の常温硬化性ガラス膜１１となる。
ここでは塗布具１２としてエアーガンを示したが、筆、ハケ、ブラシ、ローラー等であってもよく、スプレー缶を作成して塗布するのも良い。
また、常温硬化性ガラス液を塗布後に、多孔性あるいは酸素透過性フィルムを重ねるとゆっくり乾燥してガラス液が均一な被膜になりやすい。
【００１２】
常温硬化性ガラス膜１１は、多くの場合は特許第２５３８５２７号公報に開示された金属酸化物ガラス膜および球体微粒子の製造方法に基づいており、耐熱性、耐高湿性、絶縁性、ガスバリアー性及びイオンマイグレーション防止性に優れ、常温領域で薄膜を形成する物理化学的に安定した透明均質な無機系材料である。
【００１３】
図２に表側シート部材もフィルム材を用いた押し花の装飾体１０ｂの例を示し、薄い表側シート部材２１ａの裏面側に配置する押し花２２を挟んだ状態で、薄い表側シート部材２１ａと、裏側シート部材２３とを密着する。
ここでの薄い表側シート部材２１ａは薄くて透明であれば樹脂フィルム等材質を問わず、防湿性を有していなくて良い。
ここでの裏側シート部材２３は図１と同様であり、材質を問わず、防湿性を有していなくて良い。
図示しないが薄い表側シート部材２１ａと、裏側シート部材２３とを密着する手段としては、薄い表側シート部材２１ａと、裏側シート部材２３との間に押し花２２を挟んだ状態でラミネート装置等を通して密接着し、押し花２２を密封する例を挙げることができる。
この場合にも減圧密封を用いてもよく、また表側シート部材と裏側シート部材で押し花を密封した状態で外形寸法を切断調整し、その後に以下に示す浸漬によるガラス被膜を形成してもよい。
【００１４】
図２（ｂ）に示した常温硬化性ガラス膜形成手段例においては、槽１３に溜めた有機金属酸化物と加水分解触媒と希釈剤との組成物に浸漬し、硬化した際には、薄い透明部材を有する装飾体１０ｂになる。
このように浸漬によるガラス膜形成方法を用いると表側シート部材と裏側シート部材の貼り合わせ部のシール性も向上する。
【００１５】
ここで示す装飾体１０ｂは密封作業が容易にでき、変色等を来すことなく押し花２２の長期安定化を図るのに効果的であり、硬化した常温硬化性ガラス膜１１は容易に切断できることにより、装飾体１０ｂを必要な大きさや形状に容易に切断できる。
装飾体１０ｂを曲げた後にガラス膜を形成することもできる。
よって、装飾体１０ｂは平面的な形状のみならず、曲部を有する額枠等においても押し花２２を長期的に美しく飾ることができる。
【００１６】
図３に掲示用開口部を有する装飾体１０ｃの例を示す。
薄い表側シート部材２１ａと、裏側シート部材２３との間に台紙２５を配置し、台紙に押し花２２を配置する例である。
ここでの裏側シート部材２３は、透光性を有している。
この場合には台紙２５に掲示物用開口部２５ａを形成することで裏側シート部材２３の背面に写真等を配置しても掲示物用開口部２５ａから写真も見ることができる。
また、台紙２５と、裏側シート部材２３との間に乾燥剤２４又は脱酸素剤を配設することもできる。
【００１７】
図４に裏側シート部材２３の周囲をアルミ箔２６で形成した装飾体１０ｄの例を示す。
アルミ箔２６は透湿性がないので開口部を樹脂フィルム材で接着剤４０等を用いて塞ぎ、この部分にガラス膜を形成することで写真等を掲示する開口部ができる。
ここではアルミ箔を用いた例を示したが、アルミテープ等を用いてもよく、アルミテープのつなぎ目にガラス膜を形成してもよい。
【００１８】
図５に本発明に係る装飾体を用いた押し花写真額の基本的構成例の斜視図を示し、押し花写真額は額枠５１と、付属ガラス５２と、装飾体１０ｃと、掲示物３０と、付属裏板５３とを記載順に正面側から備え、これらを組み立てることでセレモニー等で用いる写真額になる。
【００１９】
次に押し花の製作例について説明する。
天然押し花は強く押圧すると構造が破壊されたり、透けるようになるものもある。
本発明においては、２枚のシート材の間に植物体を軽く挟み、アルコール溶液に浸漬する。
アルコール溶液にはインク又は染料等を希釈溶解してあり、植物体を３時間以上浸漬しておくと植物体中の腐食性成分がアルコール中に溶出し、インク又は染料の色素成分が植物体に沈着する。
これにより乾燥後には酸素による変色も吸湿もしない押し花が得られる。
この方法は花弁等薄い植物体に効果的である。
この方法にすれば立体的な押し花あるいはアルコール乾燥植物体が容易に得られる。
【図面の簡単な説明】
【００２０】
【図１】本発明に係る押し花装飾体の例を示す。
【図２】表側シート部材もフィルム状の場合の例を示す。
【図３】掲示用開口部を有する例を示す。
【図４】裏側シート部材に掲示用開口部を設けた例を示す。
【図５】押し花写真額の例を示す。
【符号の説明】
【００２１】
１０ａ，１０ｂ，１０ｃ，１０ｄ      装飾体
１１      常温硬化性ガラス膜
１２      塗布具
１３      槽
２１，２１ａ      表側シート部材
２２      押し花
２３      裏側シート部材
２４      乾燥剤
２５      台紙
２５ａ    掲示用開口部
２６      アルミ箔
３０      掲示物
４０      接着剤
５１      額枠
５２      付属ガラス
５３      付属裏板
【図１】
2007160534.tif 000003
【図２】
2007160534.tif 000004
【図３】
2007160534.tif 000005
【図４】
2007160534.tif 000006
【図５】
2007160534.tif 000007